(57)【要約】      （修正有）【課題】ペットの体長に対して対応して、保持体の全長を変更可能とすることによって、装着されるペットにとっても、装着作業を行なう人にとっても、快適に使用できるペット歩行補助ハーネスを提供する。【解決手段】保持体１１に接続されたハンドベルト３１を引き上げることで、ペットの歩行を介助するペット歩行補助ハーネス１０において、保持体１１を、ペットの胴部に取り付けられる胴当て部１２と、ペットの胸部に取り付けられる胸当て部１５とで構成し、両者１２、１５を、互いに独立した別体の部材にて構成する。胴当て部１２と胸当て部１５との接続位置を変更することにより、保持体１１の全長を変更可能とする。ハンドベルト３１は、その両端を胴当て部１２と胸当て部１５とに接続することができる。【選択図】図１
0003192413.tif 000002
【実用新案登録請求の範囲】
【請求項１】
歩行障害のあるペットに取り付けられる保持体と、前記保持体に取り付けられるハンドベルトとを備え、前記ハンドベルトを引き上げることで前記ペットの歩行を介助するペット歩行補助ハーネスにおいて、
前記保持体は、前記ペットの胴部に取り付けられる胴当て部と、前記ペットの胸部に取り付けられる胸当て部とを備え、
前記胴当て部と前記胸当て部とが、別体に構成されると共に互いに着脱可能に接続され、
前記胴当て部と前記胸当て部との接続位置を変更することにより、前記保持体の全長を変更可能としたことを特徴とするペット歩行補助ハーネス。
【請求項２】
前記胴当て部は、ペットの腹を支持する腹部と、前記腹部の左右配置されて前記ペットの背に回される背部とを備え、
前記胸当て部は、ペットの胸を支持する胸部と、前記胸部の左右配置されて前記ペットの首に回される首部とを備え、
前記腹部の前部分と前記胸部の後部分とのそれぞれに、互いに着脱可能な接続具が設けられ、
前記腹部の前部分と前記胸部の後部分との少なくともいずれか一方の接続具が、前後方向に複数設けられることにより、前記胴当て部と前記胸当て部との接続位置を変更することができるようにしたことを特徴とする請求項１記載のペット歩行補助ハーネス。
【請求項３】
前記胴当て部と前記胸当て部とのそれぞれに連結ベルトが設けられ、
前記ハンドベルトが、前記連結ベルトに着脱可能に取り付けられることを特徴とする請求項１又は２に記載のペット歩行補助ハーネス。
【請求項４】
前記腹部の左右両側に前後方向に伸びる芯材を備え、前記連結ベルトが前記芯材の設けられた部分に固定されていることを特徴とする請求項３記載のペット歩行補助ハーネス。
【考案の詳細な説明】
【技術分野】
【０００１】
本考案は、歩行障害のあるペットの歩行を介助するペット歩行補助ハーネスに関する。
【背景技術】
【０００２】
歩行障害のあるペットの歩行を介助するペット歩行補助ハーネスに関する提案として、特許文献１〜３に示すものが知られている。これらのハーネスは、歩行障害のあるペットに取り付けられる保持体と、前記保持体に取り付けられるハンドベルトとを備え、前記ハンドベルトを引き上げることで、歩行困難なペットの足に対する荷重を軽減して、ペットの歩行を助けるものである。
【０００３】
通常のペット用ハーネスは、ペットの前足を挿入してペットに取り付ける胸当て部のみ保持体として備えたものが一般的である。そのため、胸回りの寸法を調整可能として、胸回りの寸法の多少に対応するようにしているものが一般的であるが、ペットの体長の多少には考慮を払う必要がなく、保持体の前後の長さを調整可能とするものはなかった。
【０００４】
他方、歩行補助用ハーネスは、通常のハーネスと異なり、ペットの体重の一部を人が負担するものであるため、ペットの略全長に渡ってその体重の一部を支えることができるように、保持体として、胸当て部と胴当て部とを備えるタイプが多いが、通常のハーネスと同様、前後の長さを調整するという発想を持つものは提案されていない。
【０００５】
ところが、歩行補助用ハーネスは、通常のハーネスとは異なり、保持体をペットの胸と胴とに取り付けるため、ペットの体長に対して正確に対応することが、装着されるペットにとっても、装着作業を行なう人にとっても、望ましいものであると言える。特に、ペットは種類によって体重、体長や毛並み等は様々であり、一頭ペットであっても成長や季節や体調等によって変化するため、その変化に対応して全長等が適正な保持体をペットに取り付けることが望ましい。人が手で持つハンドベルトを、保持体の胸と胴に装着する部分の双方に接続する場合には、歩行介助時のバランスを崩さないようにするためにも、適正な全長の保持体をペットに取り付けることが望ましい。
【先行技術文献】
【特許文献】
【０００６】
【特許文献１】特開２００７−１５９４３７号公報
【特許文献２】特開２０１１−１２０５２５号公報
【特許文献３】登録実用新案３１７６６０２号公報
【考案の概要】
【考案が解決しようとする課題】
【０００７】
本考案は、ペットの体長に対して対応して、保持体の全長を変更可能とすることによって、装着されるペットにとっても、装着作業を行なう人にとっても、快適に使用できるペット歩行補助ハーネスの提供を課題とする。
【課題を解決するための手段】
【０００８】
本考案は、保持体に接続されたハンドベルトを引き上げることでペットの歩行を介助するペット歩行補助ハーネスにおいて、前記保持体を、ペットの胴部に取り付けられる胴当て部と、ペットの胸部に取り付けられる胸当て部とを、互いに独立した別体の部材にて構成する。そして、胴当て部と胸当て部との接続位置を変更することにより、保持体の全長を変更可能とする。これによって、保持体の全長とペットの体長とを合致させることができ、装着されるペットにとっても、装着作業を行なう人にとっても、快適に使用できるものとする。
【０００９】
前記胴当て部は、ペットの腹を支持する腹部と、前記腹部の左右配置されて前記ペットの背に回される背部とを備え、前記胸当て部は、ペットの胸を支持する胸部と、前記胸部の左右配置されて前記ペットの首に回される首部とを備え、前記腹部の前部分と前記胸部の後部分とのそれぞれに、互いに着脱可能な接続具が設けられ、前記腹部の前部分と前記胸部の後部分との少なくともいずれか一方の接続具が、前後方向に複数設けられることにより、前記胴当て部と前記胸当て部との接続位置を変更することができるようにしたものとして実施することができる。
【００１０】
さらに、前記胴当て部と前記胸当て部とにそれぞれ連結ベルトを設け、前記ハンドベルトを前記両連結ベルトに着脱可能に取り付けられるものとして実施することもできる。
また、前記腹部の左右両側には、前後方向に伸びる芯材を設け、前記連結ベルトを前記芯材の設けられた部分に固定することで、力の分散を図ることも望ましい。
【考案の効果】
【００１１】
本考案は、ペットの体長に対して対応して、保持体の全長を変更可能とすることによって、装着されるペットにとっても、装着作業を行なう人にとっても、快適に使用できるペット歩行補助ハーネスの提供を課題とすることができものである。特に、ハンドベルトの両端を、胴当て部と胸当て部とにそれぞれ連結して、ハンドベルトを上方に引き上げる力を加えた際に、保持体の全長とペットの体長とが適正に合致していることによって、前後のバランスを適正に保った状態で引き上げの力を保持体に加えることができる。
【図面の簡単な説明】
【００１２】
【図１】本考案の実施の形態に係るペット歩行補助ハーネスの展開状態の表面図。
【図２】（Ａ）〜（Ｄ）は同ペット歩行補助ハーネスの装着工程を示す斜視図。
【図３】（Ａ）は同ペット歩行補助ハーネスの装着後を示す斜視図、（Ｂ）は同ペット歩行補助ハーネスのネックベルトの要部斜視図。
【図４】（Ａ）同ペット歩行補助ハーネスの使用状態を示す側面図、（Ｂ）は同背面図。
【考案を実施するための形態】
【００１３】
以下、図面に基づき本考案の実施の形態を説明する。この実施の形態に関する説明は、特に断りのない限り、ペット歩行補助ハーネス１０を展開した状態（図１参照）にて前後左右を特定するもので、ペットＰの頭側を前側、ペットＰの尻側を後側とする。
（全体構造）
この実施の形態に係るペット歩行補助ハーネス１０は、歩行障害のある犬などのペットＰに取り付けられるもので、特に、小型犬に適するものである。図１、図３に示すように、この歩行補助ハーネスは、ペットＰに取り付けられる保持体１１と、保持体１１に取り付けられるハンドベルト３１とを備える。ハンドベルト３１は、人Ｈが少し引き上げ気味に手で持つことによって、ペットＰの足にかかる自重を軽減するものある。
【００１４】
（保持体１１の全体構造）
保持体１１は、胴当て部１２とその前方に配置される胸当て部１５とを分離した別部材によって形成し、これらを接続可能としたものである。
胴当て部１２は、ペットＰの腹を支持する腹部１３と、腹部１３の左右に配置されてペットＰの背に回される背部１４とを備える。胸当て部１５は、ペットの胸を支持する胸部１６と、胸部１６の左右配置されてペットの首に回される首部１７とを備える。胴当て部１２及び胸当て部１５は、布や合成樹脂シートなどの柔軟性と強度のある素材で構成することができる。
【００１５】
（胴当て部１２について）
胴当て部１２は、腹部１３の左右に背部１４を設けた横長の略長方形状をなしており、ペットＰへの装着時には腹部１３がペットＰの腹付近に沿った状態となり、背部１４がペットＰの背中側に回される。背部１４の左右両端には背係止具４１が設けられており、背中に回した背部１４同士を固定する。このハンドベルト３１には、固定位置が調整可能な面ファスナが適するが、ホックやボタンなどの他の着脱可能な係止具に変更して実施することもできる。
【００１６】
腹部１３の後部中央には下腹部分２１が形成されており、前方側に凹んだ凹部形状（この実施の形態では略Ｕ字状の凹部）となっている。これは雄のペットＰの場合にペニスなどの局部が配置される空間を形成するためのものであり、凹部形状に形成することで局部に力が加わり難い構造としたものである。また胴当て部１２の後部左右にはヒップ部分２２が形成されている。このヒップ部分２２は、ペットＰの臀部に回されるもので、後方側に突出した突部形状となっている。そして、腹部１３の左右の後部と、ヒップ部分２２との間に、ヒップベルト３４を渡すことによって、ペットＰの後足に対して固定する。この例では、ヒップベルト３４の一端を腹部１３の左右の後部に固定し、他端をヒップ部分２２に着脱可能に接続するようにしている。この着脱のために、ヒップ部分２２とヒップベルト３４の他端とには、着脱可能なヒップ係止具４３が設けられている。このヒップ係止具４３はホックや面ファスナなどを用いることができるが、他の係止部材であってもよい。なお、図の例とは反対に、ヒップベルト３４の一端と腹部１３の左右の後部とに着脱可能な係止具を設けるようにしてもよい。また、着脱可能なヒップベルト３４を用いずに、ヒップ部分２２に後足を挿入できる穴を形成するようにしてもよい。
【００１７】
次に、腹部１３の前部分は、この例では、左右の背部１４よりも前方に突出して形成されている。そして、この前部分に、胴側接続具１８が設けられている。この胴側接続具１８は、前後方向において複数箇所（この例では４箇所）に形成されている。この胴側接続具１８を複数箇所に設けることによって、胸当て部１５との前後位置を調整可能としている。なお、この図１の例では、胴側接続具１８は左右方向にも複数個設けることで、接続に際する固定強度を高めるようにしており、合計８個の胴側接続具１８が設けられている。
【００１８】
（胸当て部１５について）
胸当て部１５は、展開状態において略Ｙ字状をなし、ペットＰの胸の中央に前後方向に伸びる胸部１６と、その前端から左右前方に伸びる一対の首部１７とを備える。首部１７の端部には首係止具４２を備え、ペットＰの首の後ろに回して首係止具４２を係止することで、ペットＰの胸に取り付けられる。
【００１９】
胴当て部１２と胸当て部１５とを着脱可能に接続するために、胸部１６の後部分には、前記の胴側接続具１８に接続される胸側接続具１９が設けられている。この例では、胸側接続具１９は、先の胴側接続具１８に対応して左右方向に複数個（図では２個）設けられており、接続に際する固定強度を高めるようにしている。さらに、胸側接続具１９は前後方向にも複数個（図では２個）設けられており、接続に際する固定強度を高めるようにしている。従って、合計４個の胸側接続具１９を、先の８個の胴側接続具１８を選択して係止するもので、前後方向には３段階で長さ調整が可能である。なお、胴側接続具１８と胸側接続具１９とを前後方向には１個だけを係止する場合を含めると５段階で長さ調整が可能となる。
【００２０】
胴側接続具１８と胸側接続具１９とは、ホック、ボタン及びボタンホールなどの着脱可能な係止具を用いることができる。また、面ファスナを用いることも可能であり、その場合には、胴側接続具１８と胸側接続具１９との少なくとも何れか一方の長さを長くすることによって、前後方向の長さ調整が可能となる。
【００２１】
このように、胴当て部１２と胸当て部１５との前後方向の接続位置を可変とすることによって、保持体１１の全長の調整を行うことができる。これによって、種々の体長のペットＰに保持体１１を装着させることができる。特に、この実施の形態では、次に述べるように、ハンドベルト３１を胴当て部１２と胸当て部１５とに接続して、人Ｈが手で持って上方に引き上げ気味にすることで、ペットＰの足への負担を軽減させる。その際、ペットＰの体長に、保持体１１の全長が合致していないと、装着されるペットＰがバランスに崩すおそれがあるが、全長を可変とした本考案の保持体１１にあっては、そのおそれを軽減して、装着されるペットＰにとっても、ハンドベルト３１を手で持って介助する人Ｈにとっても、快適な使用状態を得ることが可能となる。
【００２２】
（ハンドベルト３１について）
ハンドベルト３１は、人Ｈが手で持ってペットＰの足に加わる荷重を軽減するためのもので、その両端が胴当て部１２と胸当て部１５とに接続される。この接続のために、両端にはハンドベルト接続具４４を備える。この例ではハンドベルト接続具４４には、ナスカンや鉄砲カンのような開閉可能な接続金具が採用されており、ハンドベルト３１を胴当て部１２及び胸当て部１５に着脱可能に接続する。ハンドベルト３１の中央には持ち手３２を配置することで、持ちやすさを向上させることも望ましい。また、ハンドベルト３１に送りカンを設けて長さ調整可能とすることも望ましい。
【００２３】
（連結ベルト５０について）
前記のハンドベルト３１は、胴当て部１２と胸当て部１５とに接続されるものであり、これに対応して胴当て部１２と胸当て部１５にもハンドベルト接続具４４が設けられる。このハンドベルト接続具４４は、胴当て部１２と胸当て部１５とに取り付けることができ、ハンドベルトの両端のハンドベルト接続具４４に接続できる構造を備えていれば適宜手段を採用できるが、この実施の形態では連結ベルト５０を用いる。この連結ベルト５０の構造は長さは違うが胴当て部１２と胸当て部１５とで実質的に同一であるため、共通部分については同じ符号を付してまとめて説明する。
【００２４】
連結ベルト５０は、図１には図示を省略しており、図３を参照して説明する。連結ベルト５０は、第１ベルト５１と第２ベルト５２とを備える。第１ベルト５１は左右何れか一方の背部１４、首部１７に取り付けられ、第２ベルト５２は左右何れか他方の背部１４、首部１７に取り付けられる。取り付け方法は特に問わず、この例では、首部１７に対しては逢着されており、背部１４に対しては固定カン５７を介して取り付けられている。固定カン５７は保持体１１の芯材３３が設けられた箇所に接続されている。この芯材３３は、腹部１３と背部１４との境に設けられており、ハンドベルト３１からの力を前後に分散するように、前後方向に伸ばされている。これによって、腹部１３に加わるペットＰの自重を、前後に略均等に芯材３３を介してハンドベルト３１に伝えるようにすることで、腹部１３の一部がペットＰの腹に食い込んだりすることを抑制する。
【００２５】
第１ベルト５１と第２ベルト５２のそれぞれの先端には互いに着脱可能に接続される第１連結具５３、第２連結具５４が設けられており、第１連結具５３と４とを接続することによって、第１ベルト５１と第２ベルト５２とが接続される。また、この接続によって左右の背部１４同士、首部１７同士も接続されることになる。なお、この例では、先に説明したように、背部１４同士の接続には面ファスナの背係止具４１を併用した。これに対して、首部１７同士には面ファスナを用いておらず、第１連結具５３と第２連結具５４とを備えた連結ベルト５０が、首係止具４２を兼ねることになる。
【００２６】
第２ベルト５２には、Ｄカンなどのリング状のハンドベルト接続具４４が設けられ、このハンドベルト接続具４４が、ハンドベルト３１のハンドベルト接続具４４に対して、着脱可能に接続される。
このハンドベルト接続具４４の第２ベルト５２への取り付け構造は種々変更することができるが、この例ではハンドベルト接続具４４の位置及び第２ベルト５２の長さ調整のために、次の構造を備える。図３（Ｂ）に示すように、第２ベルト５２は、基端が背部１４、首部１７に取り付けられれ、先端側は送りカン５６を経て角カン５５にて下方へ折り返されて、その先端が送りカン５６に固定されることで、第２ベルト５２は長さ調整可能となっている。そして、ハンドベルト接続具４４は、送りカン５６と角カン５５との間における折り返し前（図３（Ｂ）では上側）の第２ベルト５２に摺動可能に取り付けられている。また、角カン５５は第２連結具５４の基端側に設けられるもので、この例では角カン５５と第２連結具５４とが一体となったバックルが採用されている。これによって、第２ベルト５２の長さ調整（ひいては連結ベルト５０の全長の長さ調整）ができると共に、ハンドベルト接続具４４を位置変更可能に取り付けることができる。なお、ハンドベルト接続具４４にも送りカンなどを設けることで、第２ベルト５２に対するハンドベルト接続具４４の位置決めを確実に行うことができる。このようなベルトの取り回しや金具の選択は一例であり、種々のベルトの取り回し方法を選択して適用することができるが、この例のように折り返し前（図３（Ｂ）では上側）の第２ベルト５２にハンドベルト接続具４４を設けることで、図３（Ｂ）に示すように、ハンドベルト接続具４４を上端として第２ベルト５２が三角形状をなすようになる。その結果、左右の首部１７同士の接続が可能となると共に、ハンドベルト接続具４４に接続されるハンドベルト３１を適切な位置に配置することができる。
【００２７】
（装着手順）
ここで、図２を参照して、ペットＰに対する保持体１１とハンドベルト３１の装着手順を説明する。
まず図２（Ａ）に示すように、保持体１１をペットＰの身体の下方に通す。胸当て部１５は前方に、胴当て部１２は後方に配置する。
【００２８】
次に、図２（Ｂ）に示すように、胸当て部１５をペットＰの胸にあてがって、左右の首部１７を首の後ろに回して、左右の首部１７の第１連結具５３と第２連結具５４のバックル同士を係止する。
次に、図２（Ｃ）に示すように、腹部１３をペットＰの腹にあてがって、左右の背部１４を背中に回して、左右の背部１４の背係止具４１同士を係止すると共に、左右の背部１４の第１連結具５３と第２連結具５４のバックル同士を係止する。
【００２９】
次に、図２（Ｄ）に示すように、左右のヒップベルト３４をペットＰの後足の下から後ろ上方に回して、ヒップ係止具４３同士を係止する。これによって、図３（Ａ）の装着状態となる。
最後に、図２（Ｄ）に示すように、胴当て部１２と胸当て部１５のハンドベルト接続具４４に対して、ハンドベルト３１の両端のハンドベルト接続具４４を係止して、ハンドベルト３１を胴当て部１２と胸当て部１５とに接続する。
【００３０】
（歩行介助方法）
ペットＰを散歩などに連れ出す際には、図４（Ａ）（Ｂ）に示すように、人Ｈがハンドベルト３１の持ち手３２を握って、ペットＰと共に歩く。その際、人Ｈがハンドベルト３１を持ち上げるようにすることで、ペットＰの足に加わるペットＰの自重を軽減することができる。持ち上げる程度は、ペットＰの歩行能力にもよるが、ペットＰの全ての足が完全に地表から完全に離れてしまうような持ち上げ方は好ましくなく、あくまでペットＰの歩行能力を介助する程度のものであることが望ましい。なお、ハンドベルト３１は手で握る形式のものを用いたが、人Ｈの肩にベルトを回すような長めのものに代えることもでき、両者を併用することもできる。
【００３１】
（変更例）
このペット歩行補助ハーネス１０は適宜変更して実施することができ、例えば、ハンドベルト３１を胴当て部１２にのみ接続するようにしてもよい。また、小型犬用を例示したが、大型犬用に本考案を適用することもできる。
【符号の説明】
【００３２】
１０  ペット歩行補助ハーネス
１１  保持体
１２  胴当て部
１３  腹部
１４  背部
１５  胸当て部
１６  胸部
１７  首部
１８  胴側接続具
１９  胸側接続具
２１  下腹部分
２２  ヒップ部分
３１  ハンドベルト
３２  持ち手
３３  芯材
３４  ヒップベルト
４１  背係止具
４２  首係止具
４３  ヒップ係止具
４４  ハンドベルト接続具
５０  連結ベルト
５１  第１ベルト
５２  第２ベルト
５３  第１連結具
５４  第２連結具
５５  角カン
５６  送りカン
５７  固定カン
Ｐ    ペット
Ｈ    人
【図１】
0003192413.tif 000003
【図２】
0003192413.tif 000004
【図３】
0003192413.tif 000005
【図４】
0003192413.tif 000006